(57)【特許請求の範囲】
【請求項１】
シート状の媒体に画像を記録して記録面を形成する記録部と、前記媒体から前記画像を含む領域を切り取る裁断部とを備えた記録裁断複合装置であって、
前記記録部から前記画像を記録された前記媒体を送り出す記録排出部と、
前記記録排出部から排出された前記媒体を前記裁断部に送り込む裁断給送部と、
前記裁断給送部による前記媒体の給送方向に交差する方向に往復移動する裁断部キャリッジと、
前記往復移動の方向と交差する搬送方向に前記媒体を搬送して前記裁断部キャリッジの下方を通過させる裁断搬送部と、
前記裁断部キャリッジに搬送され、前記媒体を裁断するカッタを含むカッタヘッドと、を備える記録裁断複合装置であって、
前記裁断搬送部が一対のプーリの間に掛け渡された無端ベルトである媒体支持ベルトを備え、
前記カッタの先端を前記媒体支持ベルトに前記記録面を支持された前記媒体に対して上方から貫入させて該媒体を裁断することを特徴とする記録裁断複合装置。
【請求項２】
前記無端ベルトの表面を帯電させることにより、前記媒体を前記無端ベルトに吸着させる吸着手段を備える請求項１に記載の記録裁断複合装置。
【請求項３】
前記無端ベルトの表面が、前記媒体を付着させる粘着性を有する材料で形成されている請求項１または２に記載の記録裁断複合装置。
【請求項４】
前記無端ベルトが、前記カッタの先端を貫入させ得る硬さを有して前記媒体に触れる表面を形成する犠牲裁断層と、前記犠牲裁断層を支持し且つ前記プーリの間で前記無端ベルトを水平に張り渡す引っ張り強度を有する抗張力層とを含む請求項１乃至３のいずれか一項に記載の記録裁断複合装置。
【請求項５】
前記裁断搬送部が、前記媒体を保持していない区間において、前記無端ベルトの表面を乾燥させる手段を具備する請求項１乃至４のいずれか一項に記載の記録裁断複合装置。
【発明の詳細な説明】
【技術分野】
【０００１】
本発明は、記録裁断複合装置に関する。より詳細には、媒体に緻密な画像を記録する記録機能と、画像の記録された媒体を当該画像を含む所望の形状に裁断する裁断機能とを兼ね備えた記録裁断複合装置に関する。
【背景技術】
【０００２】
紙、布、樹脂シート等のシート状の媒体から所望の形状の部分片を切り出す、カッティング・マシン、カッティング・プロッタ等と呼ばれる装置がある。この種の装置は、例えば、特許文献１に記載されているように、Ｘ軸方向に走行するテーブルにより搬送される布地に対して、Ｘ軸と直交するＹ軸方向に往復移動する主軸頭を備え、テーブルによる布地のＸ方向への搬送と主軸頭のＹ方向の往復移動とを組み合わせて、主軸頭を布地全体にわたって走査させることができる。従って、主軸頭にナイフ（カッタ）を装着することにより、布地から所望の形状を有する裁断片を切り出すことができる。
【０００３】
また、この種の装置が裁断対象とするのは薄いシート状の媒体なので、刃物の切断抵抗により媒体が浮いたり撓んだりする場合がある。このような場合、裁断形状に狂いが生じ、あるいは、媒体が刃物に纏わり付いて裁断が続行できなくなる。そこで、同文献に記載された装置では、ナイフ（カッタ）の側方に一対の押さえローラを装着して、裁断箇所の直近で布地を押さえつつ裁断している。これにより、裁断により布地がテーブルからずれることがなくなり、所望の形状に従って正確に裁断片を切り出すことができるとされている。
【０００４】
一方、特許文献２には、やはりシート状の記録用紙から所望の裁断片を切り出すことができる作画・カッティング両用プロッタが記載されている。この作画・カッティング両用プロッタも、往復移動する作画ヘッドと、作画ヘッドの往復移動方向に直交する方向に記録用紙を搬送するローラ群とを備え、記録用紙の全面にわたって作画ヘッドを走査させることができる。従って、作画ヘッドに筆記用具を装着した場合は記録用紙上の所望の領域に図形を記録することができ、作画ヘッドに刃物を装着した場合は媒体としての記録用紙から所望の形状の裁断片を切り出すことができる。なお、特許文献２に開示された装置は作画も行うことができ、作画動作時には加圧ローラを持ち上げることが記載されている。
【特許文献１】特公平７−９０５１１
【特許文献２】特開２００１−２２５２９７
【発明の開示】
【発明が解決しようとする課題】
【０００５】
ところで、記録装置としていわゆるインクジェットプリンタが普及してきている。この種のプリンタは、旧来の銀塩写真に匹敵する高い記録品質を有しており、用途によっては印刷機にとって替わろうとさえしている。そこで、インクジェット方式による記録部と刃物を用いた裁断部とを組み合わせて記録裁断複合装置を形成することが提案され、実行もされている。
【０００６】
ただし、インクジェットプリンタによって記録用紙上に記録された画像、特に写真画像は、隙間なく塗布されたインクによって形成されている。また、この種のプリンタで用いられるインクには水性溶媒を用いたものがあり、乾燥させるためにかなり時間がかかることが判っている。なお、インクジェット方式で画像を記録された媒体は、画像に触れても手が汚れない程度にインクが乾燥していても、浸透したインクの溶媒が媒体内に残っている場合がある。このような場合は媒体の変形強度が一時的に低下しており、刃物の切断抵抗により媒体が容易に変形するので、正確な形状に裁断することが難しい。従って、記録動作と裁断動作との間には十分な乾燥時間をとらなければならず、記録と裁断を連続して実行した場合の処理時間を短縮することは難しかった。
【課題を解決するための手段】
【０００７】
上記課題の解決を目的として、本発明の第１の形態として、シート状の媒体に画像を記録して記録面を形成する記録部と、媒体から画像を含む領域を切り取る裁断部とを備えた記録裁断複合装置であって、記録部から画像を記録された媒体を送り出す記録排出部と、記録排出部から排出された媒体を裁断部に送り込む裁断給送部と、裁断給送部による媒体の給送方向に交差する方向に往復移動する裁断部キャリッジと、往復移動の方向と交差する搬送方向に媒体を搬送して裁断部キャリッジの下方を通過させる裁断搬送部と、裁断部キャリッジに搬送され、媒体を裁断するカッタを含むカッタヘッドと、を備える記録裁断複合装置であって、裁断搬送部が一対のプーリの間に掛け渡された無端ベルトである媒体支持ベルトを備え、カッタの先端を媒体支持ベルトに記録面を支持された前記媒体に対して上方から貫入させて媒体を裁断する記録裁断複合装置が提供される。これにより、記録インクの溶媒の浸透が少なく、溶媒による強度低下のない、記録面の裏面からカッタを貫入させて媒体を裁断できる。従って、媒体の乾燥が不完全な場合でも媒体が変形することがなく、記録動作の後、即座に正確な裁断動作を実行できる。
【００１４】
また、ひとつの実施形態として、上記記録裁断複合装置において、無端ベルトの表面を帯電させることにより、媒体を無端ベルトに吸着させる吸着手段を備える。また、他の実施形態として、上記記録裁断複合装置において、無端ベルトの表面が、媒体を付着させる粘着性を有する材料で形成されている。これらにより、無端ベルトに対して媒体を確実に固定でき、媒体と無端ベルトとの摺動発生を確実に防止できる。
【００１５】
また、他の実施形態として、上記記録裁断複合装置において、無端ベルトが、カッタの先端を貫入させ得る硬さを有して媒体に触れる表面を形成する犠牲裁断層と、犠牲裁断層を支持し且つプーリの間で無端ベルトを水平に張り渡す引っ張り強度を有する抗張力層とを含む。これにより、カッタが無端ベルトを傷つけることがなくなるので、媒体に対してカッタを深く貫入させ、確実に裁断させることができる。
【００１６】
更に、他の実施形態として、上記記録裁断複合装置において、裁断搬送部が、媒体を保持していない区間において、無端ベルトの表面を乾燥させる手段を具備する。これにより、媒体の記録面にける未乾燥の記録インクが媒体から無端ベルトに付着したとしても、それにより次に搬送される媒体が再汚染されることがなくなる。
【００１７】
なお、上記の発明の概要は、本発明の必要な特徴の全てを列挙したものではない。また、これらの特徴群のサブコンビネーションもまた発明となり得る。
【発明を実施するための最良の形態】
【００１８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１９】
図１は、ひとつの実施形態に係る記録裁断複合装置１０の全体の形状を示す斜視図である。同図に示すように、この記録裁断複合装置１０は、記録部１００、反転部２００および裁断部３００をひとつの筐体５００に納めて形成されている。また、筐体５００の図上の手前側には、記録および裁断に供する媒体４０２を装入するための装入トレイ１１０と、記録部１００による記録および裁断部３００による裁断の済んだ媒体４０２が排出される排出口３０６が見えている。また、排出口３０６からは、後述する媒体支持ベルト３３０の一部と、それを支持するプーリ３２０が見えている。この記録裁断複合装置１０において、媒体４０２は、装入トレイ１１０から装入され、記録部１００において画像を記録されて記録面を形成された後、裁断部３００において裁断されて、排出口３０６から排出される。
【００２０】
図２は、図１に示した記録裁断複合装置１０の内部構造を縦断面において模式的に示す図である。同図に示すように、この内部構造は、記録部１００、反転部２００および裁断部３００に大別することができる。なお、装入トレイ１１０から排出口３０６に至る媒体４０２の搬送経路４００を、図中に点線により示した。
【００２１】
記録部１００は、記録部フレーム１０２の前後（図上では左右）に形成されており、装入トレイ１１０から媒体４０２を取り込む給送ローラ１２０と、回転駆動される搬送ローラ１３４および搬送ローラ１３４に媒体４０２を押し付ける搬送従動ローラ１３２を含む搬送部１３０とを備えている。これら給送ローラ１２０および搬送部１３０により取り込まれた媒体４０２は、プラテン１６０上に送り込まれる。プラテン１６０は、媒体４０２を下方から支持して、後述する記録ヘッド１５２に対する媒体４０２の高さ方向の位置決めをする。
【００２２】
また、プラテン１６０の上方には、記録部キャリッジ１５４が配置されている。記録部キャリッジ１５４の記録部フレーム１０２に対面した側には、挿通穴１５８が形成されている。また、記録部キャリッジ１５４の上端は、記録部フレーム１０２を越えて延長され、反対側の面に回り込んでいる。記録部キャリッジ１５４は、紙面に垂直に配置されたガイド軸１４０を挿通穴１５８に挿通されて、紙面に対して垂直に摺動できるように支持されている。また、記録部キャリッジ１５４は記録部フレーム１０２にも支持されているので、ガイド軸１４０の回りに回転することがない。
【００２３】
更に、記録部キャリッジ１５４は、記録部フレーム１０２に対面する面に形成された把持部１５１において、タイミングベルト１０４を把持している。タイミングベルト１０４は、記録部フレーム１０２に配置された一対のプーリ（不図示）の間に張り渡されており、このプーリ間では水平に走行する。従って、タイミングベルト１０４を把持する記録部キャリッジ１５４も、記録部フレーム１０２と平行に且つ水平に往復移動する。
【００２４】
また更に、記録部キャリッジ１５４は、インクカートリッジ１５６を搭載すると共に、その下面に液体としてインクを吐出する液体噴射ヘッドである記録ヘッド１５２を備えている。これらにより、インクカートリッジ１５６から供給される記録インクを、プラテン１６０上の媒体４０２に対して吐出する。従って、搬送部１３０による媒体４０２の搬送と、記録部キャリッジ１５４の往復移動とを組み合わせることにより、媒体４０２の任意の領域に対して記録インクを吐出して画像を形成できる。このように、記録部１００は、シート状の媒体４０２の上面を記録面として画像を記録する。
【００２５】
反転部２００は、反転ガイドローラ２５０と、反転ガイドローラ２５０に半周にわたって接する反転ガイドベルト２６０とを備えている。また、反転ガイドベルト２６０は、プーリ２１０、２２０、２３０、２４０に掛け渡されている。
【００２６】
反転ガイドローラ２５０は、プラテン１６０の上面と、後述する媒体支持ベルト３３０上面との間の高低差と同じ直径を有する。また、反転ガイドベルト２６０は、前記した記録部１００とは反対にあたる側を回って、反転ガイドローラ２５０の上端から下端まで反転ガイドローラ２５０に触れている。
【００２７】
従って、記録部１００においてプラテン１６０上で画像を記録された媒体４０２は、反転ガイドローラ２５０および反転ガイドベルト２６０の間に挟まれて、記録部１００から取り出される。このように、反転部２００の上部は、記録部１００の記録排出部を兼ねている。また、反転ガイドローラ２５０および反転ガイドベルト２６０の間に挟まれた媒体４０２は、反転ガイドローラ２５０の回転に従って反転ガイドローラ２５０の下端まで搬送されて、後述する裁断部３００に送り込まれる。
【００２８】
このとき、上記反転部２００により搬送された媒体４０２は、画像を記録された記録面が下側になるように、裁断部３００に対して送り出される。また、裁断部３００には、記録部１００における搬送方向とは逆の方向に送り出される。このように、反転部２００の下部は、裁断部３００のための裁断給送部を兼ねている。
【００２９】
図３は、上記の反転部２００の構造を模式的に示す斜視図である。同図に示すように、反転ガイドローラ２５０および反転ガイドベルト２６０は、媒体４０２の幅に対して非常に狭い幅を有する。また、反転ガイドローラ２５０および反転ガイドベルト２６０は、媒体４０２の側端部近傍の経路上に一対配置されている。従って、反転部２００において、媒体４０２はその側端部近傍を挟まれて、搬送され且つ反転される。ここで、反転部２００においては、反転ガイドベルト２６０および反転ガイドローラ２５０は、媒体４０２の側端部にだけ接触するので、媒体４０２の側端部に画像が記録されていなければ、裁断部３００は切り出すべき画像に触れない。従って、この場合には、反転部２００において記録された画像は損傷されない。
【００３０】
また、反転ガイドベルト２６０を支持するプーリ２１０、２２０、２３０、２４０のうち、記録部１００に最も近いプーリ２１０は、反転ガイドローラ２５０の上端に接する位置に対して、記録部１００にやや近づいた位置に配置されている。従って、反転ガイドベルト２６０には、プーリ２１０の下端から反転ガイドローラ２５０の上端に接しはじめる位置までに、反転ガイドローラ２５０から離れて水平に走行する区間が形成されている。これにより、記録部１００を経過した媒体４０２の先端を反転ガイドベルト２６０および反転ガイドローラ２５０の間に誘導して両者の間に確実に挟み込むことができる。
【００３１】
一方、反転ガイドベルト２６０を支持するプーリ２１０、２２０、２３０、２４０のうち、裁断部３００に最も近いプーリ２４０は、反転ガイドローラ２５０の下端に接するが如くに配置されている。従って、反転ガイドローラ２５０および反転ガイドベルト２６０に挟まれて搬送された媒体４０２は、反転ガイドローラ２５０の下端において開放される。
【００３２】
なお、図３からも判るように、一対の反転ガイドローラ２５０の間には広いスペースが形成される。従って、このスペースに、ヒータ、送風機等を配置して、記録部１００から裁断部３００に向かう間に媒体４０２を積極的に乾燥させることも好ましい。
【００３３】
再び図２を参照すると、反転部２００に続いて、裁断部３００が配置されている。裁断部３００は、反転部２００の直後に配置されたプーリ３１０と、排出口３０６を越えて筐体５００の外側に配置されたプーリ３２０との間に掛け渡された無端ベルトである媒体支持ベルト３３０を備えている。媒体支持ベルト３３０の少なくとも上面は、反転ガイドローラ２５０の下端と同じ高さで水平に走行しており、反転部２００から開放された媒体４０２は、媒体支持ベルト３３０の上面に支持され、搬送される。このように、プーリ３１０、３２０および媒体支持ベルト３３０は、裁断部３００において媒体４０２を搬送する裁断搬送部を形成している。
【００３４】
このとき、媒体４０２は、媒体支持ベルト３３０の上面の広い領域全体で支持されるので、媒体４０２の記録面に局部的な圧力が生じることがない。また、媒体４０２が媒体支持ベルト３３０に対して摺動することもないので、記録面の画像が損傷を受けることもない。なお、図２では、搬送経路４００についてプーリ２４０の下流側にプーリ３１０が配置されているが、反転部２００から開放された媒体４０２は、即座に媒体支持ベルト３３０に受け渡されることが好ましい。
【００３５】
図４は、上記反転部２００における反転ガイドローラ２５０および反転ガイドベルト２６０と裁断部３００における媒体支持ベルト３３０の好ましい位置関係を示す模式図である。同図に示すように、媒体４０２は、反転ガイドローラ２５０の下端において反転ガイドローラ２５０および反転ガイドベルト２６０による把持から開放されると同時に、媒体支持ベルト３３０の上面の水平部分に支持される。このように、反転部２００の終端は、裁断部３００に対する裁断給送部を兼ねている。
【００３６】
このとき、反転ガイドベルト２６０の走行速度と媒体支持ベルト３３０の走行速度は等しく、媒体４０２は、媒体支持ベルト３３０の表面に対して摺動することなく受け渡される。従って、媒体４０２の記録面が擦過されず、裁断部３００における搬送によって媒体４０２の記録面の画像が損傷されることを防ぐことができる。
【００３７】
また、図６を参照して後述するように、媒体支持ベルト３３０の表面に粘着性をもたせ、媒体４０２を付着させつつ支持してもよい。この場合、図中に示すように、押し付けローラ３６０を設けて、媒体４０２を媒体支持ベルト３３０に押し付けることにより、媒体４０２を確実に付着させることができる。更に、好ましい実施形態のひとつによると、媒体４０２を媒体支持ベルト３３０に積極的に吸着させて、媒体４０２および媒体支持ベルト３３０の間の摺動をより確実に防止できる。図５に、そのような実施形態の構造を模式的に示す。
【００３８】
図５に示すように、この媒体支持ベルト３３０は、その表面に接する接点３３２を介して電源３３４に結合されている。これにより媒体支持ベルト３３０は帯電して、媒体４０２を吸着する。なお、接点３３２および電源３３４の間にスイッチを設け、接点３３２を電源３３４および接地に選択的に接続することにより、吸着力を適宜断続させることもできる。
【００３９】
裁断部３００において上記のように支持された媒体４０２に対して、筐体５００の内部で、媒体支持ベルト３３０の中程の上方には、裁断部キャリッジ３５４が配置されている。従って、媒体支持ベルト３３０に支持された媒体４０２は、裁断部キャリッジ３５４の下方を通過する。
【００４０】
裁断部キャリッジ３５４の裁断部フレーム３０２に対面した側には、挿通穴３５８が形成されている。また、裁断部キャリッジ３５４の上端は、裁断部フレーム３０２を越えて延長され、反対側の面に回り込んでいる。紙面に垂直に配置されたガイド軸３４０を挿通穴３５８に挿通されて、裁断部キャリッジ３５４は紙面に対して垂直に摺動できるように支持されている。また、裁断部キャリッジ３５４は、裁断部フレーム３０２にも支持されているので、ガイド軸３４０の回りに回転することがない。
【００４１】
更に、裁断部キャリッジ３５４は、裁断部フレーム３０２に対面する面に形成された把持部３５１において、タイミングベルト３０４を把持している。タイミングベルト３０４は、裁断部フレーム３０２に配置された一対のプーリ（不図示）の間に張り渡されており、プーリ間では水平に走行する。従って、このタイミングベルト３０４を把持する裁断部キャリッジ３５４も記録部フレーム１０２と平行に且つ水平に往復移動する。
【００４２】
また、裁断部キャリッジ３５４の下面には、昇降できるように、且つ、鉛直な軸の回りに回転できるように、カッタヘッド３５６が装着されている。カッタヘッド３５６は、カッタ３５２を保持しており、前記した媒体支持ベルト３３０上の媒体４０２に対して上方から、カッタ３５２の下端を貫入させることができる。前記したように、媒体４０２において、記録面は媒体支持ベルト３３０に接した側に形成されている。従って、カッタ３５２は、記録面の裏面から媒体に貫入される。なお、媒体４０２の裏面から記録面までカッタ３５２を貫通させるのに代えて、裏面から媒体４０２の途中まで切り込むいわゆるハーフカットをしてもよい。
【００４３】
また、カッタ３５２の下端に形成された刃は水平面に対して傾斜している。従って、カッタヘッド３５６が降下したときに、カッタ３５２が媒体４０２に貫入する位置は、カッタヘッド３５６の回転の中心を下方に延長した位置からはずれる。このため、このカッタヘッド３５６には、カッタ３５２の方向が裁断部キャリッジ３５４の移動方向に追従するキャスタアクションが生じる。従って、裁断部キャリッジ３５４および媒体４０２の相対移動方向に応じて、カッタ３５２の向きは自律的に変化する。
【００４４】
上記のような裁断部３００において、媒体支持ベルト３３０による媒体４０２の搬送と、裁断部キャリッジ３５４の往復移動とを組み合わせることにより、媒体４０２の任意の場所に対してカッタ３５２を貫入させ、媒体４０２を裁断させることができる。裁断後の媒体４０２は、排出口３０６を通過して、筐体５００の外部に送り出される。
【００４５】
なお、カッタヘッド３５６に画像センサを装着して、これにより画像を検出して自動的に切り出すように制御部を形成することもできる。また、カッタヘッド３５６の方向は、裁断部キャリッジ３５４および媒体４０２の相対移動方向に応じたキャスタアクションにより自律的に変化する。しかしながら、上記画像センサを利用して画像の輪郭を検出する一方、カッタヘッド３５６を強制的に回転させる駆動手段を設けて、カッタヘッド３５６の方向を能動的に制御することもできる。
【００４６】
また、上記のように形成された記録裁断複合装置１０では、記録部１００において記録された画像を含む媒体４０２上の領域を、裁断部３００において切り出す場合がある。そこで、記録部１００における動作で参照した画像データから画像の輪郭データを抽出して、この輪郭データに基づいて裁断部３００の動作を制御することができる。これにより、特別な操作なしに、画像を正確に切り出すことができる。
【００４７】
更に、上記裁断部３００において媒体４０２を確実に裁断するためには、カッタ３５２の先端が媒体４０２を貫通して、その裏面を越えて貫入されることが好ましい。この場合、媒体４０２を支持する媒体支持ベルト３３０にまでカッタ３５２が貫入することになる。しかしながら、媒体支持ベルト３３０自体が切断されてはその機能を果たすことができなくなる。また、媒体４０２を正確に裁断するためには、媒体支持ベルト３３０の表面性状が平滑に維持されていることが好ましい。そこで、好ましい実施形態のひとつによると、媒体支持ベルト３３０の表面に犠牲裁断層３３６を設けることが提案される。
【００４８】
図６は、犠牲裁断層３３６を備えた媒体支持ベルト３３０断面構造を示す図である。同図に示すように、この媒体支持ベルト３３０は、媒体４０２に接する表面に形成された犠牲裁断層３３６と、犠牲裁断層３３６とプーリ３１０および３２０との間に位置する抗張力層３３８の２層を備えている。
【００４９】
犠牲裁断層３３６は、軟質に調製されたシリコン樹脂、アクリル樹脂、ウレタン樹脂、塩化ビニル樹脂、ゴム等により形成されている。この種の材料は柔軟でカッタ３５２が容易に貫入するが、貫入されたカッタ３５２が除去された後は自己修復的に切開部を閉じる。従って、カッタ３５２が浅く貫入しても、表面性状は平滑に維持される。また、この種の材料には粘着性を有するものがあり、媒体４０２を付着させて滑らせないという点でも好ましい。ただし、このような粘着性を有する媒体支持ベルト３３０を用いた場合は、排出口３０６の外側で、媒体４０２を媒体支持ベルト３３０から剥がす手段を設けることが好ましい。このような手段は、例えば、媒体支持ベルト３３０に接して固定され、先端が媒体支持ベルト３３０および媒体４０２の間に貫入する分離爪あるいは分離板等として形成できる。
【００５０】
ただし、上記材料は張力に対する変形強度が低い。これに対して、抗張力層３３８は、張力に対する変形強度が高い材料により形成されている。具体的には、アラミド繊維、ポリイミド繊維、カーボン繊維等によって編まれた布状の材料を例示できるが、これに限定されるものではない。このような材料で形成された抗張力層３３８を備えた媒体支持ベルト３３０は、プーリ３１０、３２０間で高い張力を印加されて、媒体４０２を水平に保持することができる。
【００５１】
さらに、裁断部３００において、プーリ３１０、３２０の下側に、媒体４０２の搬送方向と反対の方向に走行する媒体支持ベルト３３０の表面を乾燥させる手段を設けることも好ましい。これにより、媒体４０２の記録面における未乾燥の記録インクが媒体４０２から媒体支持ベルト３３０に転写されたとしても、それにより次に搬送される媒体４０２が再汚染されることが防止される。
【００５２】
ここまでに説明したように、上記の記録裁断複合装置１０は、媒体４０２の記録面に対して、裏面からカッタ３５２を貫入させて裁断するという独特の構造を有している。これにより、記録インクの溶媒により強度が低下していない媒体４０２の裏面から裁断するので、媒体４０２の乾燥が不完全でも、正確な裁断動作を実行できる。また、記録動作と裁断動作とを連続して実行できるので、記録から裁断に至る一連の動作を短時間で完了できる。
【００５３】
以上、実施の形態を用いて説明したが、本発明の技術的範囲は上記実施の形態に記載の範囲には限定されない。また、上記実施の形態に、多様な変更または改良を加え得ることは当業者に明らかである。更に、その様な変更または改良を加えた形態が本発明の技術的範囲に含まれ得ることは、特許請求の範囲の記載から明らかである。
【図面の簡単な説明】
【００５４】
【図１】記録裁断複合装置１０の全体の形態を示す斜視図。
【図２】図１に示した記録裁断複合装置１０の内部構造を模式的に示す図。
【図３】記録裁断複合装置１０における反転部２００の構造を模式的に示す図。
【図４】反転ガイドベルト２６０および媒体支持ベルト３３０のレイアウトを模式的に示す図。
【図５】裁断部３００のひとつの実施形態を模式的に示す図。
【図６】他の実施形態にかかる媒体支持ベルト３３０の構造を示す断面図。
【符号の説明】
【００５５】
１０  記録裁断複合装置、１００  記録部、１０２  記録部フレーム、１０４、３０４  タイミングベルト、１１０  装入トレイ、１２０  給送ローラ、１３０  搬送部、１３２  搬送従動ローラ、１３４  搬送ローラ、１４０、３４０  ガイド軸、１５１、３５１  把持部、１５２  記録ヘッド、１５４  記録部キャリッジ、１５６  カートリッジ、１５８、３５８  挿通穴、１６０  プラテン、２００  反転部、２１０、２２０、２３０、２４０、３１０、３２０  プーリ、２５０  反転ガイドローラ、２６０  反転ガイドベルト、３００  裁断部、３０２  裁断部フレーム、３０６  排出口、３３０  媒体支持ベルト、３３２  接点、３３４  電源、３３６  犠牲裁断層、３３８  抗張力層、３５２  カッタ、３５４  裁断部キャリッジ、３５６  カッタヘッド、３６０  押し付けローラ、４００  搬送経路、４０２  媒体、５００  筐体
【図１】
0004701920.tif 000002
【図２】
0004701920.tif 000003
【図３】
0004701920.tif 000004
【図４】
0004701920.tif 000005
【図５】
0004701920.tif 000006
【図６】
0004701920.tif 000007